(57)【要約】【課  題】暖房負荷が小さい際にも、ヒートポンプユニットの運転効率の低下を極力防止することができる温水暖房装置を提供する。【解決手段】温水暖房装置は、ヒートポンプユニット（１）と、このヒートポンプユニットからの冷媒と暖房用循環水とを熱交換する冷媒対循環水熱交換器（８）と、この冷媒対循環水熱交換器からの暖房用循環水を暖房用端末に供給する供給流路（２６）と、前記暖房用端末から流れだした暖房用循環水を冷媒対循環水熱交換器に戻す戻り流路（２７）と、貯湯タンク（２）と、前記戻り流路に設けられ暖房用循環水と貯湯タンクの水とを熱交換する循環水対タンク水熱交換器（３２，６７）とを備えている。【選択図】  図１
2005016762.tif 000002
【特許請求の範囲】
【請求項１】
ヒートポンプユニットと、
このヒートポンプユニットからの冷媒と暖房用循環水とを熱交換する冷媒対循環水熱交換器と、
この冷媒対循環水熱交換器からの暖房用循環水を暖房用端末に供給する供給流路と、
前記暖房用端末から流れだした暖房用循環水を冷媒対循環水熱交換器に戻す戻り流路と、
貯湯タンクと、
前記戻り流路に設けられ、暖房用循環水と貯湯タンクの水とを熱交換する循環水対タンク水熱交換器とを備えていることを特徴とする温水暖房装置。
【請求項２】
前記貯湯タンクの下部と循環水対タンク水熱交換器との間を循環するタンク水循環回路が設けられていることを特徴としている請求項１記載の温水暖房装置。
【請求項３】
前記タンク水循環回路に、タンク水を流す循環水対タンク水熱交換器用ポンプが設けられていることを特徴としている請求項２記載の温水暖房装置。
【請求項４】
前記タンク水循環回路に、開閉弁が設けられていることを特徴としている請求項２記載の温水暖房装置。
【請求項５】
前記循環水対タンク水熱交換器に流入するタンク水の温度を検出するタンク水温度センサが設けられていることを特徴としている請求項１ないし４のいずれか１項記載の温水暖房装置。
【請求項６】
前記循環水対タンク水熱交換器用ポンプまたはタンク水循環回路の開閉弁を制御する制御手段が設けられ、
この制御手段は、タンク水温度センサの検出温度が放熱用設定温度よりも低い際に、循環水対タンク水熱交換器用ポンプを稼働させるか、または、前記開閉弁を開ける手段を具備していることを特徴としている請求項５記載の温水暖房装置。
【請求項７】
前記制御手段は、暖房立上げ期間にタンク水温度センサの検出温度が立上げ加熱設定温度よりも高い際に、循環水対タンク水熱交換器用ポンプを稼働させるか、または、前記開閉弁を開ける手段を具備していることを特徴としている請求項６記載の温水暖房装置。
【請求項８】
前記循環水対タンク水熱交換器が、前記貯湯タンクの内部の下側の部分に設けられていることを特徴としている請求項１記載の温水暖房装置。
【請求項９】
前記ヒートポンプユニットの冷媒がＣＯ２  冷媒であることを特徴としている請求項１ないし８のいずれか１項記載の温水暖房装置。
【請求項１０】
前記貯湯タンクの下部と貯湯タンクの上部とを接続する貯湯タンク加熱流路、および、この貯湯タンク加熱流路に設けられ前記ヒートポンプユニットからの冷媒と貯湯タンクの水とを熱交換する冷媒対タンク水熱交換器を備えていることを特徴としている請求項１ないし９のいずれか１項記載の温水暖房装置。
【発明の詳細な説明】
【０００１】
【発明の属する技術分野】
本発明は、浴室暖房機、温水エアコンや温水床暖房パネルなどの暖房用端末を備える温水暖房装置に関する。
【０００２】
【従来の技術】
従来、温水暖房装置は、たとえば特許文献１に記載されているように、熱交換器でヒートポンプユニットからの冷媒と暖房用循環水とを熱交換して、暖房用循環水を温め、この温められた暖房用循環水で暖房を行っている。
【０００３】
【特許文献１】
特開２００２−２５７３６６号公報
【０００４】
【発明が解決しようとする課題】
ところで、従来の温水暖房装置では、暖房負荷が小さくなると、暖房用循環水の戻り側（すなわち、熱交換器に流入する暖房用循環水）の水温が高くなり、冷媒との熱交換が十分に行われずに、熱交換器から出る冷媒の温度が高くなることがある。このため、圧縮機に戻ってくる冷媒の温度が高くなって、圧縮機の負荷が高くなり、ヒートポンプユニットの運転効率（ＣＯＰ）が低下する。
【０００５】
本発明は、以上のような課題を解決するためのもので、暖房負荷が小さい際にも、ヒートポンプユニットの運転効率の低下を極力防止することができる温水暖房装置を提供することを目的としている。
【０００６】
【課題を解決するための手段】
本発明の温水暖房装置は、ヒートポンプユニット（１）と、このヒートポンプユニットからの冷媒と暖房用循環水とを熱交換する冷媒対循環水熱交換器（８）と、この冷媒対循環水熱交換器からの暖房用循環水を暖房用端末に供給する供給流路（２６）と、前記暖房用端末から流れだした暖房用循環水を冷媒対循環水熱交換器に戻す戻り流路（２７）と、貯湯タンク（２）と、前記戻り流路に設けられ暖房用循環水と貯湯タンクの水とを熱交換する循環水対タンク水熱交換器（３２，６７）とを備えている。
【０００７】
さらに、貯湯タンクの下部と循環水対タンク水熱交換器との間を循環するタンク水循環回路（４６）が設けられていることがある。
そして、タンク水循環回路に、タンク水を流す循環水対タンク水熱交換器用ポンプ（４７）が設けられていることがある。
【０００８】
また、タンク水循環回路に、開閉弁（６１）が設けられていることがある。
さらに、循環水対タンク水熱交換器に流入するタンク水の温度を検出するタンク水温度センサ（４８）が設けられていることがある。
【０００９】
そして、循環水対タンク水熱交換器用ポンプまたはタンク水循環回路の開閉弁を制御する制御手段（５６）が設けられており、タンク水温度センサの検出温度が放熱用設定温度よりも低い際に、循環水対タンク水熱交換器用ポンプを稼働させるか、または、前記開閉弁を開ける手段を前記制御手段が具備していることがある。
【００１０】
また、暖房立上げ期間にタンク水温度センサの検出温度が立上げ加熱設定温度よりも高い際に、循環水対タンク水熱交換器用ポンプを稼働させるか、または、前記開閉弁を開ける手段を前記制御手段が具備していることがある。
【００１１】
さらに、循環水対タンク水熱交換器が、前記貯湯タンクの内部の下側の部分に設けられていることがある。
そして、ヒートポンプユニットの冷媒がＣＯ２  冷媒であることがある。
【００１２】
また、貯湯タンクの下部と貯湯タンクの上部とを接続する貯湯タンク加熱流路（２３）、および、この貯湯タンク加熱流路に設けられ前記ヒートポンプユニットからの冷媒と貯湯タンクの水とを熱交換する冷媒対タンク水熱交換器（７）を備えていることがある。
【００１３】
【発明の実施の形態】
次に、本発明における温水暖房装置の実施の第１の形態を図１ないし図４を用いて説明する。図１は本発明の実施の第１の形態にかかる温水暖房装置の全体のシステム図である。図２はヒートポンプユニットのシステム図である。図３はコントローラの入出力図である。図４は循環水対タンク水熱交換器用ポンプの制御のメインのフローチャートである。なお、図３において、コントローラの入出力は主要な部品のみが図示されており、これ以外の他の各種部品もコントローラに接続されている。
【００１４】
図１において、温水暖房装置は、ヒートポンプユニット１、このヒートポンプユニット１からの冷媒と熱交換した水を溜める貯湯タンク２および、ヒートポンプユニット１からの冷媒と熱交換した暖房用循環水により暖房を行う暖房用端末（たとえば、浴室暖房機３や温水床暖房パネル４）などを備えている。
【００１５】
図２において、ヒートポンプユニット１の圧縮機６は、ガス状のＣＯ２  冷媒を圧縮して高温の冷媒を生成し、この冷媒を冷媒対タンク水熱交換器７および冷媒対循環水熱交換器８に分岐して並列に供給する。各分岐路には熱交換器７，８の下流側に減圧装置としての電磁式の膨張弁１１，１２が設けられている。そして、膨張弁１１，１２から流れだした冷媒は合流して、冷媒対空気熱交換器１６に流入する。この熱交換器１６には送風機１７により外気が送風されており、冷媒は熱交換器１６で外気と熱交換して温められる。この温度の上昇した冷媒は、アキュムレータ１８を介して圧縮機６に戻っている。また、圧縮機６から吐出された冷媒の温度を検出する吐出冷媒温度センサ２１および、冷媒対循環水熱交換器８から流れだした冷媒の温度を検出する冷媒対循環水熱交換器用冷媒温度センサ２２が設けられている。
【００１６】
そして、貯湯タンク２に湯を溜める際には、圧縮機６および送風機１７を稼働させるとともに、貯湯用膨張弁１１を開ける。この貯湯は、この実施の形態では、通常深夜電力により行われる。また、暖房を行う際には、圧縮機６および送風機１７を稼働させるとともに、暖房用膨張弁１２を開ける。
【００１７】
図１において、貯湯タンク２の下部は水道管に接続され、この水道管から水道水が供給されている。また、貯湯タンク２の上部には、給湯用配管が接続され、この給湯用配管により貯湯タンク２から給湯される。さらに、貯湯タンク２の下部と上部とを貯湯タンク加熱流路２３が接続している。この貯湯タンク加熱流路２３には、前述の冷媒対タンク水熱交換器７および貯湯用ポンプ２４が設けられている。そして、貯湯用ポンプ２４が稼働すると、貯湯タンク２下部の水を吸い込んで、この水を冷媒対タンク水熱交換器７に流す。この冷媒対タンク水熱交換器７で水は、ヒートポンプユニット１からの冷媒で熱交換して温度が上昇し、高温になって貯湯タンク２の上部に流れ込む。その結果、貯湯タンク２には、上側に高温の湯の層が、また、下側に低温の水の層が形成される。そして、ヒートポンプユニット１の加熱により貯湯している際には、湯の層が漸次厚くなり、一方、風呂や台所などで湯が使用されている給湯の際には、湯の層が漸次薄くなる。この温度の高い湯と温度の低い水との境目の位置は、貯湯タンク温度センサ群２５で検出される。この貯湯タンク温度センサ群２５は、貯湯タンク２内に上下方向に並べて配列されている複数の温度センサで構成されている。
【００１８】
冷媒対循環水熱交換器８で、ヒートポンプユニット１からの冷媒と熱交換した温度の高い暖房用循環水は、暖房用端末である浴室暖房機３や温水床暖房パネル４に供給される。この冷媒対循環水熱交換器８から各暖房用端末３，４への供給流路２６は、暖房用端末３，４毎に分岐している。そして、各暖房用端末３，４に熱を供給して温度が低下した暖房用循環水は、暖房用端末３，４から流れ出て、戻り流路２７を介して合流し冷媒対循環水熱交換器８に戻っている。この暖房用端末３，４と冷媒対循環水熱交換器８とを接続する戻り流路２７には、リザーブタンク３１、循環水対タンク水熱交換器３２、暖房用循環水ポンプ３３が設けられている。また、浴室暖房機３の暖房用循環水の流れを制御する開閉弁である熱動弁３６および、温水床暖房パネル４の暖房用循環水の流れを制御する開閉弁である熱動弁３７が設けられている。さらに、浴室暖房機３への暖房用循環水の温度を検出する端末用循環水温度センサ４１および、温水床暖房パネル４への暖房用循環水の温度を検出する床暖房用循環水温度センサ４２が設けられている。
【００１９】
循環水対タンク水熱交換器３２のタンク水側の回路の両端は上下に配列されているとともに、貯湯タンク２の下部に接続されて、タンク水循環回路４６が形成されている。タンク水循環回路４６には、タンク水循環回路４６にタンク水を流す循環水対タンク水熱交換器用ポンプ４７および、タンク水循環回路４６に流入するタンク水の温度を検出するタンク水温度センサ４８が設けられている。
【００２０】
浴室暖房機３で暖められる浴室には、浴室用リモコン５３（図３参照）が設置され、また、温水床暖房パネル４で温められる部屋には、床暖房用リモコン５４（図３参照）が設置されている。このリモコン５３，５４は、温度センサやマイコンなどを内蔵しており、温度設定ボタンで設定された設定温度と温度センサの検出温度である室温との差である温度偏差を出力している。
【００２１】
そして、温水暖房装置の制御手段であるコントローラ５６はマイコンなどで構成されている。このコントローラ５６には種々の電気部品が接続されているが、主な電気部品としては、図３に図示するように、入力側に端末用循環水温度センサ４１、床暖房用循環水温度センサ４２、冷媒対循環水熱交換器用冷媒温度センサ２２、タンク水温度センサ４８、貯湯タンク温度センサ群２５、複数のリモコン５３，５４などが接続され、一方、出力側に、暖房用循環水ポンプ３３、圧縮機６、送風機１７、貯湯用膨張弁１１、暖房用膨張弁１２、循環水対タンク水熱交換器用ポンプ４７、熱動弁３６，３７などが接続されている。そして、コントローラ５６にはタイマが内蔵されており、経過時間などを計測することができるとともに、制御用プログラムが記憶されている。さらに、コントローラ５６には予め種々の設定値が設定される。
【００２２】
次に、この様に構成されている実施の形態の温水暖房装置における循環水対タンク水熱交換器用ポンプ４７のメインの作動について、図４のフローチャートに基づいて説明する。この循環水対タンク水熱交換器用ポンプ４７は暖房の際に使用される。したがって、暖房が行われていない時（すなわち暖房用循環水ポンプ３３が停止している時）には停止するように、コントローラ５６で制御されている。
【００２３】
朝などに暖房のスイッチを入れると、ヒートポンプユニット１が稼働する（なお、既に稼働している際には稼働状態を維持する）とともに、暖房用循環水ポンプ３３が稼働する。また、コントローラ５６はリモコン５３，５４からの温度偏差に基づいて、暖房用循環水ポンプ３３や熱動弁３６，３７などを制御する。そして、暖房の立上げ時には、暖房用循環水の温度は低いとともに、貯湯タンク２の水は深夜電力などにより温められており、貯湯タンク２の高い温度の湯の層は、貯湯タンク２の下部近くに達している。したがって、ステップ１において、コントローラ５６は、タンク水温度センサ４８の検出温度（すなわち循環水対タンク水熱交換器用ポンプ４７の吸い込むタンク水の温度）が、予め設定されている立上げ加熱設定温度以上か否かを判定している。そして、タンク水温度が立上げ加熱設定温度以上の場合には、ステップ２に行き、循環水対タンク水熱交換器用ポンプ４７を稼働させて、暖房用循環水をタンク水で温めて、ステップ４に行く。一方、タンク水が立上げ加熱設定温度未満の場合には、タンク水の温度が低く、暖房用循環水を温める能力が低いので、ステップ３に行き、循環水対タンク水熱交換器用ポンプ４７を停止させて、ステップ４に行く。
【００２４】
そして、ステップ４において、コントローラ５６は、暖房開始時からの経過時間が予め設定されている立上げ時間になったか否かを判断し、立上げ時間になっていない場合には、ステップ１に戻っている。立上げ時においては、暖房用循環水の温度が低く、暖房用端末３，４の暖房能力が低くなる。したがって、ステップ１，２，４を繰り返すことにより、貯湯タンク２の高い温度の湯で暖房用循環水を温めて、暖房用端末３，４の暖房能力を向上させている。その結果、暖房の立ち上げ時間を短縮することができる。一方、ステップ４において、立上げ時間になった場合には、ステップ５に行く。
【００２５】
立上げ時間が経過すると、暖房用循環水の温度は高くなっている。そして、暖房用端末３，４の暖房負荷が小さくなると、暖房用端末３，４からの流れだす暖房用循環水の温度が高くなり過ぎて、冷媒対循環水熱交換器８の熱交換効率が低下するおそれがある。また、貯湯タンク２の湯の層は、湯が利用されるにしたがって、漸次薄くなるとともに、貯湯タンク２の下部に水道水が補充される。そのため、貯湯タンク２の下部には、低い温度のタンク水が溜まる。そこで、ステップ５において、コントローラ５６は、タンク水温度センサ４８の検出温度が、予め設定されている放熱用設定温度以下か否かを判定している。そして、タンク水温度が放熱用設定温度以下の場合には、ステップ６に行き、循環水対タンク水熱交換器用ポンプ４７を稼働させて、暖房用循環水を低温のタンク水で冷し、ステップ５に戻る。一方、タンク水が放熱用設定温度を越えている場合には、タンク水の温度が高く、暖房用循環水を冷却する能力が低いので、ステップ７に行き、循環水対タンク水熱交換器用ポンプ４７を停止させて、ステップ５に戻る。この様にして、ステップ５，６を繰り返すことにより、冷媒対循環水熱交換器８に流入する暖房用循環水を貯湯タンク２のタンク水で冷却し、冷媒対循環水熱交換器８の熱交換効率を向上させている。また、貯湯タンク２のタンク水は、循環水対タンク水熱交換器３２により温められることになり、給湯や風呂などに利用することができる。
【００２６】
この様にして、制御手段であるコントローラ５６は、暖房立上げ期間にタンク水温度センサ４８の検出温度が立上げ加熱設定温度よりも高い際に、循環水対タンク水熱交換器用ポンプ４７を稼働させる手段や、タンク水温度センサ４８の検出温度が放熱用設定温度よりも低い際に、循環水対タンク水熱交換器用ポンプ４７を稼働させる手段などを具備している。
この様に、コントローラ５６は、上記手段以外にも、実行される各工程に対応して各工程を実行する手段を具備している。
【００２７】
次に、本発明における温水暖房装置の実施の第２の形態について図５を用いて説明する。図５は実施の第２の形態の温水暖房装置の全体のシステム図である。なお、この実施の第２の形態の説明において、前記実施の第１の形態の構成要素に対応する構成要素には同一符号を付して、その詳細な説明は省略する。
【００２８】
図５は、実施の第１の形態の図１に対応する図であり、循環水対タンク水熱交換器用ポンプ４７に代えて、開閉弁６１がタンク水循環回路４６に設けられている。そして、この開閉弁６１の作動はコントローラ５６で制御されており、実施の第１の形態の循環水対タンク水熱交換器用ポンプ４７の稼働条件の際に開き、かつ、実施の第１の形態の循環水対タンク水熱交換器用ポンプ４７の停止条件の際に閉じる。
【００２９】
次に、本発明における温水暖房装置の実施の第３の形態について図６を用いて説明する。図６は実施の第３の形態の温水暖房装置の全体のシステム図である。なお、この実施の第３の形態の説明において、前記実施の第１の形態の構成要素に対応する構成要素には同一符号を付して、その詳細な説明は省略する。
【００３０】
図６は、実施の第１の形態の図１に対応する図であり、実施の第１の形態の循環水対タンク水熱交換器用ポンプ４７や実施の第２の形態の開閉弁６１は設けられておらず、戻り流路２７には、リザーブタンク３１の下流側に、三方切換弁６６が設けられ、この三方切換弁６６に、循環水対タンク水熱交換器６７および、循環水対タンク水熱交換器６７をバイパスするバイパス流路６８が接続されている。この循環水対タンク水熱交換器６７およびバイパス流路６８の他端は合流し、暖房用循環水ポンプ３３に接続されている。また、循環水対タンク水熱交換器６７は貯湯タンク２内の下部に設置されている。さらに、循環水対タンク水熱交換器６７付近のタンク水の温度を検出するタンク水温度センサ６９が設けられている。そして、三方切換弁６６の作動はコントローラ５６で制御されており、実施の第１の形態の循環水対タンク水熱交換器用ポンプ４７の稼働条件の際に、戻り流路２７を循環水対タンク水熱交換器６７側に切り換え、かつ、実施の第１の形態の循環水対タンク水熱交換器用ポンプ４７の停止条件の際に、戻り流路２７をバイパス流路６８側に切り換える。
また、前述の様に、循環水対タンク水熱交換器６７は貯湯タンク２内に設置されているため、タンク水用の管路は不要となる。
【００３１】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）暖房用端末３，４の形式、個数や配置などは適宜変更可能である。
【００３２】
（２）タンク水温度センサ４８を設けないで、貯湯タンク温度センサ群２５を用いて、循環水対タンク水熱交換器３２に流入するタンク水の温度を検出することも可能である。
（３）また、循環水対タンク水熱交換器３２に流入するタンク水の温度を検出しないで、暖房運転時には常時、循環水対タンク水熱交換器用ポンプ４７の稼働状態を持続したり、また、開閉弁６１の開の状態を持続したりすることも可能である。
【００３３】
（４）タンク水循環回路４６に、循環水対タンク水熱交換器用ポンプ４７や開閉弁６１を設けないで、自然対流により、循環水対タンク水熱交換器において循環水とタンク水とを熱交換させることも可能である。
（５）立上げ時のステップ１〜ステップ４の制御を行わないことも可能である。
（６）この実施の形態では、冷媒はＣＯ２  であるが、たとえばＨＦＣなどの他の種類の冷媒でも可能である。ただし、冷媒対タンク水熱交換器や冷媒対循環水熱交換器における冷媒の温度を比較的簡単に高くして、熱交換効率を向上させることができるので、ＣＯ２  冷媒であることが好ましい。
【００３４】
（７）制御手段はコントローラ５６であるが、各種機器を制御できるならば、その構造や形式は適宜変更可能である。
（８）この実施の形態では、貯湯タンク２はヒートポンプユニット１で加熱されているが、貯湯タンクの形式や構造は適宜変更可能である。たとえば、ガスボイラーなどでも可能である。ただし、ヒートポンプユニットで加熱されることが好ましい。
（９）暖房立上げ期間か否かは、ステップ４において、暖房開始時からの経過時間が立上げ時間になったか否かで判定しているが、他の判定方法で行うことも可能である。たとえば、冷媒対循環水熱交換器８に戻ってくる暖房用循環水の温度を温度センサで検出し、この暖房用循環水の温度が立上げ完了温度以上か否かで判定することも可能である。なお、この判定は制御手段が行う。
（１０）冷媒対循環水熱交換器と暖房用端末との間に、暖房用循環水を循環させる暖房用循環水ポンプは、戻り流路に設けられているが、供給流路に設けることも可能である。
【００３５】
【発明の効果】
本発明によれば、暖房用端末からの戻り流路に、暖房用循環水と貯湯タンクの水とを熱交換する循環水対タンク水熱交換器が設けられているので、暖房用端末の暖房負荷が小さくて、循環水対タンク水熱交換器に戻ってくる暖房用循環水の温度が高い際に、貯湯タンクの水で暖房用循環水を冷却することができる。したがって、熱交換器の熱交換効率を向上させることができる。その結果、ヒートポンプユニットの運転効率を向上させることができる。しかも、戻り流路の暖房用循環水で貯湯タンクの水を温めて給湯などに利用することができる。
【００３６】
さらに、貯湯タンクの下部と循環水対タンク水熱交換器との間を循環するタンク水循環回路が設けられている場合には、自然対流などにより、貯湯タンクの下部の低温の水と熱交換して、暖房用循環水を効率よく冷却することができる。
【００３７】
そして、タンク水循環回路に、タンク水を流す循環水対タンク水熱交換器用ポンプが設けられている場合には、このポンプにより強制的にタンク水を循環水対タンク水熱交換器に流すことができ、暖房用循環水を強力に冷却することができる。
【００３８】
また、タンク水循環回路に、開閉弁が設けられている場合には、この開閉弁により、タンク水の流れを制御することができる。
【００３９】
さらに、タンク水温度センサの検出温度が放熱用設定温度よりも低い際に、循環水対タンク水熱交換器用ポンプを稼働させるか、または、前記開閉弁を開けている場合には、タンク水の温度が低い際には、ポンプを稼働させるか、または、開閉弁を開けて、暖房用循環水を冷却することができるとともに、タンク水の温度が高い際には、ポンプを停止させるか、または、開閉弁を閉めて、暖房用循環水が温められることを防止することができる。
【００４０】
そして、暖房立上げ期間にタンク水温度センサの検出温度が立上げ加熱設定温度よりも高い際に、循環水対タンク水熱交換器用ポンプを稼働させるか、または、前記開閉弁を開けている場合には、暖房立上げ期間中は、暖房用循環水の温度が低いため、暖房用端末の暖房能力は低いが、温度の高いタンク水で暖房用循環水を温めることにより、立ち上げ時間を短くすることができる。特に、貯湯タンクが深夜電力などで温められている場合には、暖房を開始する朝などには貯湯タンクの下部のタンク水の温度も高いので、立ち上げ時間を効率よく短くすることができる。
【００４１】
さらに、循環水対タンク水熱交換器が、前記貯湯タンクの内部の下側の部分に設けられている場合には、循環水対タンク水熱交換器のタンク水側の配管が不要となり、配管コストや取付コストを削減することができる。
【００４２】
そして、ヒートポンプユニットの冷媒がＣＯ２  冷媒である場合には、冷媒の温度を高くすることができ、温水暖房装置の効率が向上する。
【００４３】
また、貯湯タンクの下部と貯湯タンクの上部とを接続する貯湯タンク加熱流路に、ヒートポンプユニットからの冷媒と貯湯タンクの水とを熱交換する冷媒対タンク水熱交換器が設けられている場合には、貯湯タンクの上側には高温のタンク水が、また、貯湯タンクの下側には低温のタンク水が溜まる。したがって、貯湯タンクの下側の低温のタンク水で、戻り流路の暖房用循環水を効率よく冷却することができる。
【図面の簡単な説明】
【図１】図１は本発明の実施の第１の形態にかかる温水暖房装置の全体のシステム図である。
【図２】図２はヒートポンプユニットのシステム図である。
【図３】図３はコントローラの入出力図である。
【図４】図４は循環水対タンク水熱交換器用ポンプの制御のメインのフローチャートである。
【図５】図５は実施の第２の形態の温水暖房装置の全体のシステム図である。
【図６】図６は実施の第３の形態の温水暖房装置の全体のシステム図である。
【符号の説明】
１  ヒートポンプユニット
２  貯湯タンク
３  浴室暖房機（暖房用端末）
４  温水床暖房パネル（暖房用端末）
７  冷媒対タンク水熱交換器
８  冷媒対循環水熱交換器
２３  貯湯タンク加熱流路
２６  供給流路
２７  戻り流路
３２  循環水対タンク水熱交換器
４６  タンク水循環回路
４７  循環水対タンク水熱交換器用ポンプ
４８  タンク水温度センサ
５６  コントローラ（制御手段）
６１  開閉弁
６７  循環水対タンク水熱交換器
【図１】
2005016762.tif 000003
【図２】
2005016762.tif 000004
【図３】
2005016762.tif 000005
【図４】
2005016762.tif 000006
【図５】
2005016762.tif 000007
【図６】
2005016762.tif 000008